【手続補正書】
【提出日】平成22年8月30日(2010.8.30)
【手続補正１】
【補正対象書類名】特許請求の範囲
【補正対象項目名】全文
【補正方法】変更
【補正の内容】
【特許請求の範囲】
【請求項１】
複数ページにわたる原稿を各ページ単位で順次読み取る原稿読取工程と、前記原稿読取
工程で順次読み取った原稿に基づき各ページ毎の原稿に係る画像情報を取得する画像情報
取得工程と、前記画像情報取得工程で取得した画像情報に基づく文字認識結果から、該当
ページ中に存在する画像の方向を取得する画像方向取得工程と、前記画像方向取得工程の
取得結果に基づいて、前記画像を正立方向に整列させる修正を行う画像方向修正工程と、
を備えて構成される画像処理方法であって、
前記画像方向取得工程の方向取得結果に基づいて、該当ページ中における相互に異なる
方向を指向する異方孤立画像の混在状況を取得する混在状況取得工程と、
前記混在状況取得工程の取得結果に基づいて、該当ページ中に混在している前記異方孤
立画像を、個々の孤立画像にそれぞれ分割するとともに、当該分割された個々の孤立画像
毎に各別のページを割り当てる孤立画像分割工程と、
をさらに備え、
前記画像方向取得工程では、
前記孤立画像分割工程で分割後の孤立画像に係る情報に基づく文字認識結果から、該当
ページ中に存在する孤立画像の方向を取得し、
前記画像方向修正工程では、
前記画像方向取得工程の取得結果に基づいて、異方孤立画像を正立方向に整列させる修
正を行う、
ことを特徴とする画像処理方法。
【請求項２】
複数ページにわたる原稿を各ページ単位で順次読み取る原稿読取工程と、前記原稿読取
工程で順次読み取った原稿に基づき各ページ毎の原稿に係る画像情報を取得する画像情報
取得工程と、前記画像情報取得工程で取得した画像情報に基づく文字認識結果から、該当
ページ中に存在する画像の方向を取得する画像方向取得工程と、前記画像方向取得工程の
取得結果に基づいて、前記画像を正立方向に整列させる修正を行う画像方向修正工程と、
を備えて構成される画像処理方法であって、
前記画像情報取得工程で取得した画像情報に基づいて、主走査方向及び副走査方向にお
ける画像濃度分布を求める画像濃度分布演算工程と、
前記画像濃度分布演算工程で求められた画像濃度分布に基づいて、該当ページ中におけ
る相互に異なる方向を指向する異方孤立画像の混在状況を取得する混在状況取得工程と、
前記混在状況取得工程の取得結果に基づいて、該当ページ中に混在している前記異方孤
立画像を、個々の孤立画像にそれぞれ分割するとともに、当該分割された個々の孤立画像
毎に各別のページを割り当てる孤立画像分割工程と、
をさらに備え、
前記画像方向取得工程では、
前記孤立画像分割工程で分割後の孤立画像に係る情報に基づく文字認識結果から、該当
ページ中に存在する孤立画像の方向を取得し、
前記画像方向修正工程では、
前記画像方向取得工程の取得結果に基づいて、異方孤立画像を正立方向に整列させる修
正を行う、
ことを特徴とする画像処理方法。
【請求項３】
請求項２記載の画像処理方法であって、
前記前記画像濃度分布演算工程では、
主走査方向における画像濃度の積算値を行単位で求めるとともに、求められた積算値を
副走査方向に展開することで画像濃度分布を演算する一方で、
副走査方向における画像濃度の積算値を列単位で求めるとともに、求められた積算値を
主走査方向に展開することで画像濃度分布を演算し、
前記混在状況取得工程では、
前記画像濃度分布演算工程で求められた主走査方向及び副走査方向における画像濃度分
布に基づいて、前記異方孤立画像間における空白の存在領域を解析し、当該解析結果に基
づいて、前記異方孤立画像の混在状況を取得する、
ことを特徴とする画像処理方法。
【請求項４】
複数ページにわたる原稿を各ページ単位で順次読み取る原稿読取手段と、前記原稿読取
手段で順次読み取った原稿に基づき各ページ毎の原稿に係る画像情報を取得する画像情報
取得手段と、前記画像情報取得手段で取得した画像情報に基づく文字認識結果から、該当
ページ中に存在する画像の方向を取得する画像方向取得手段と、前記画像方向取得手段の
取得結果に基づいて、前記画像を正立方向に整列させる修正を行う画像方向修正手段と、
を備えて構成される画像処理方法であって、
前記画像方向取得手段の方向取得結果に基づいて、該当ページ中における相互に異なる
方向を指向する異方孤立画像の混在状況を取得する混在状況取得手段と、
前記混在状況取得手段の取得結果に基づいて、該当ページ中に混在している前記異方孤
立画像を、個々の孤立画像にそれぞれ分割するとともに、当該分割された個々の孤立画像
毎に各別のページを割り当てる孤立画像分割手段と、
をさらに備え、
前記画像方向取得手段では、
前記孤立画像分割手段で分割後の孤立画像に係る情報に基づく文字認識結果から、該当
ページ中に存在する孤立画像の方向を取得し、
前記画像方向修正手段では、
前記画像方向取得手段の取得結果に基づいて、異方孤立画像を正立方向に整列させる修
正を行う、
ことを特徴とする画像処理装置。
【請求項５】
複数ページにわたる原稿を各ページ単位で順次読み取る原稿読取手段と、前記原稿読取
手段で順次読み取った原稿に基づき各ページ毎の原稿に係る画像情報を取得する画像情報
取得手段と、前記画像情報取得手段で取得した画像情報に基づく文字認識結果から、該当
ページ中に存在する画像の方向を取得する画像方向取得手段と、前記画像方向取得手段の
取得結果に基づいて、前記画像を正立方向に整列させる修正を行う画像方向修正手段と、
を備えて構成される画像処理装置であって、
前記画像情報取得手段で取得した画像情報に基づいて、主走査方向及び副走査方向にお
ける画像濃度分布を求める画像濃度分布演算手段と、
前記画像濃度分布演算手段で求められた画像濃度分布に基づいて、該当ページ中におけ
る相互に異なる方向を指向する異方孤立画像の混在状況を取得する混在状況取得手段と、
前記混在状況取得手段の取得結果に基づいて、該当ページ中に混在している前記異方孤
立画像を、個々の孤立画像にそれぞれ分割するとともに、当該分割された個々の孤立画像
毎に各別のページを割り当てる孤立画像分割手段と、
をさらに備え、
前記画像方向取得手段では、
前記孤立画像分割手段で分割後の孤立画像に係る情報に基づく文字認識結果から、該当
ページ中に存在する孤立画像の方向を取得し、
前記画像方向修正手段では、
前記画像方向取得手段の取得結果に基づいて、異方孤立画像を正立方向に整列させる修
正を行う、
ことを特徴とする画像処理装置。
【請求項６】
請求項５記載の画像処理装置であって、
前記前記画像濃度分布演算手段では、
主走査方向における画像濃度の積算値を行単位で求めるとともに、求められた積算値を
副走査方向に展開することで画像濃度分布を演算する一方で、
副走査方向における画像濃度の積算値を列単位で求めるとともに、求められた積算値を
主走査方向に展開することで画像濃度分布を演算し、
前記混在状況取得手段では、
前記画像濃度分布演算手段で求められた主走査方向及び副走査方向における画像濃度分
布に基づいて、前記異方孤立画像間における空白の存在領域を解析し、当該解析結果に基
づいて、前記異方孤立画像の混在状況を取得する、
ことを特徴とする画像処理装置。
【請求項７】
請求項４〜６の何れかに記載の画像処理装置であって、
複数ページにわたる原稿を含む電子文書を表示するための表示手段をさらに備えたこと
を特徴とする画像処理装置。